(57)【要約】【課題】            椅子背凭れを起こした状態で患者を導入する場合にアームレストが邪魔にならないようにするとともに、椅子背凭れを寝かした状態でも、身障者、特に寝姿勢しかとれない患者などにも容易に椅子シートに導入することができるようにする。【解決手段】        椅子シート両側に設けられ、後方向に傾斜部を有するアームレスト支持部の軸受部に、アームレスト基板が設けられる回転軸棒が回転自在に軸支されることにより、アームレスト使用時は背凭れ前方に位置させ、アームレスト退避時は背凭れ後方かつ椅子シート後方に位置させるようにした。【選択図】          図５
2006122331.tif 000002
【特許請求の範囲】
【請求項１】
椅子シート両側に設けられ、後方向に傾斜部を有するアームレスト支持部と、前記アームレスト支持部のいずれかまたは両方の前記傾斜部に設けられる軸受部と、前記軸受部に回動自在に軸支される回転軸棒が設けられ、前記回転軸棒がアームレスト基板に設けられることにより、アームレスト使用時は背凭れ前方に位置させ、アームレスト退避時は背凭れ後方かつ椅子シート後方に位置させることを特徴とする歯科用椅子におけるアームレスト。
【請求項２】
前記アームレスト使用時には、アームレスト回転軸棒に設けられる係止ピンがアームレスト支持部に設けられる係止溝に係合されることによりアームレストが係止されるようにしたことを特徴とする請求項１に記載の歯科用椅子におけるアームレスト。
【発明の詳細な説明】
【技術分野】
【０００１】
本発明は、歯科医院等で使用するための歯科用椅子のアームレストに関する。
【背景技術】
【０００２】
従来の歯科用椅子のアームレストは、特許文献および図６に示すように、患者を椅子シートに導入するために、アームレストを床面と水平に後方に回転させて、アームレストを退避させるものがある。
【０００３】
また図示していないが、椅子のアームレストを上方向に回転して、アームレストを退避させるものもある。
【０００４】
【特許文献１】特開昭６１−１３５６６０号
【発明の開示】
【発明が解決しようとする課題】
【０００５】
ところで、前記した従来の歯科用椅子のアームレストでは、アームレストの回転軸が垂直であるため、患者がシートに着座する際に邪魔になる、また回転軸部に衣服などを引っ掛ける等の問題があった。
【０００６】
また床面と水平に且つ後方に回転するものにあっては、背凭れの幅が広い場合などは、背凭れに当たって真後ろにアームレストを位置させることができない。
さらに背凭れを寝かす際などに、背凭れがアームレストに当たってしまうなどの問題があった。
【０００７】
また身障者、特に寝姿勢しかとれない患者を椅子シートに座らせる時などは、アームレストを後方に退避させたとしても邪魔になり、前記したような患者には対応できていないという課題があった。
【０００８】
本発明は前記した問題を解決せんとするもので、その目的とするところは、椅子背凭れを起こした状態で患者を導入する場合にアームレストが邪魔にならないようにするとともに、椅子背凭れを寝かした状態で、身障者、特に寝姿勢しかとれない患者などにもアームレストが邪魔にならず、容易に椅子シートに導入することができる歯科用椅子のアームレストを提供せんとするものである。
【課題を解決するための手段】
【０００９】
本発明の歯科用椅子におけるアームレストは、前記目的を達成せんとするもので、請求項１の手段は、椅子シート両側に設けられ、後方向に傾斜部を有するアームレスト支持部と、前記アームレスト支持部のいずれかまたは両方の前記傾斜部に設けられる軸受部と、前記軸受部に回動自在に軸支される回転軸棒が設けられ、前記回転軸棒がアームレスト基板に設けられることにより、アームレスト使用時は背凭れ前方に位置させ、アームレスト退避時は背凭れ後方かつ椅子シート後方に位置させる。
【００１０】
請求項２の手段は、前記した請求項１において、アームレスト使用時には、アームレスト回転軸棒に設けられる係止ピンがアームレスト支持部に設けられる係止溝に係合されることによりアームレストが係止されるようにした。
【発明の効果】
【００１１】
本発明の歯科用椅子におけるアームレストによって、椅子背凭れを起こした状態で患者を導入する時にアームレストが邪魔になることはなく、椅子シートに容易に着座することができる。
また椅子背凭れを寝かした状態で、身障者、特に寝姿勢しかとれない患者などを椅子シートに容易に椅子シート上に寝かすことができ、介護者も導入時にはアームレストが邪魔になることもなく且つ負担を掛けることもない。
【発明を実施するための最良の形態】
【００１２】
本発明は、椅子シートに設けられるアームレストいずれかまたは両方にアームレストの回転軸を後方に傾斜させて設け、アームレスト使用時は背凭れ前方に位置させ、アームレスト退避時は背凭れ後方かつ椅子シート後方に位置させるように回動自在に設けることにより、背凭れを起こした状態また寝かした状態であってもアームレストが邪魔にならないようにする。
【実施例１】
【００１３】
以下、本発明に係る歯科用いすにおけるアームレストの一実施例を図面とともに説明する。
【００１４】
図１は背凭れが起立した状態でアームレスト使用時を示す側面図、図２は背凭れが起立した状態でアームレストを後方に退避させた状態を示す側面図、図３は背凭れを寝かした状態でアームレストを後方に退避させた状態を示す側面図、図４はアームレスト使用時を示すアームレスト部の拡大断面図、図５はアームレスト退避時を示すアームレスト部の拡大断面図、図６は従来の歯科用椅子のアームレストを示す側面図である。
【００１５】
１はウレタンやレザーなどで構成されるアームレスト、２はアームレスト基板であり、３はアームレスト基板に取付けられる回転軸棒である。
４は係止ピンであり、５はアームレスト支持部であり、５ａはアームレスト支持部後方傾斜部であり、５ｂは軸受部で、５ｃは係止溝である。Ａは背凭れ、Ｂは椅子シート部である。
【００１６】
アームレスト支持部５のアームレスト支持部後方傾斜部５ａは後方に傾斜しており、該アームレスト支持部後方傾斜部５ａに、アームレスト基板２と略垂直に設けられる回転軸棒３が、アームレスト支持部５に設けられる軸受部５ｂに対して回転自在に設けられている。
【００１７】
以上の構成により、アームレスト使用時には、図４に示す如く、前記回転軸棒３に設けられる係止ピン４が、アームレスト支持部５に設けられる係止溝５ｃに係止されるようになっている。
【００１８】
またアームレスト退避時には、図５に示す如く、アームレスト１を上方に持ち上げることによって、アームレスト支持５の係止溝５ｂに係止されている回転軸棒３の係止ピン４を係止溝６ｂから外し、背凭れＡの後方に回動することによりアームレスト１を背凭れＡの後方に退避させることができるようになっている。
【図面の簡単な説明】
【００１９】
【図１】背凭れが起立した状態でのアームレスト使用時を示す側面図である。
【図２】背凭れが起立した状態でアームレストを後方に退避させた状態を示す側面図である。
【図３】背凭れを寝かした状態でアームレストを後方に退避させた状態を示す側面図である。
【図４】アームレスト使用時を示すアームレスト部の拡大断面図である。
【図５】アームレスト退避時を示すアームレスト部の拡大断面図である。
【図６】従来の歯科用椅子のアームレストを示す側面図である。
【符号の説明】
【００２０】
１          アームレスト
２          アームレスト基板
３          回転軸棒
４          係止ピン
５          アームレスト支持部
５ａ        アームレスト支持部後方傾斜部
５ｂ        軸受部
５ｃ        係止溝
【図１】
2006122331.tif 000003
【図２】
2006122331.tif 000004
【図３】
2006122331.tif 000005
【図４】
2006122331.tif 000006
【図５】
2006122331.tif 000007
【図６】
2006122331.tif 000008